(57)【要約】【課題】ＬＥＤユニットを装置本体の前面側に所定の配置関係で面状配設することによって床面等の被照射面を均等な照度で照明することが可能な照明装置を提供する。【解決手段】照明装置１は、複数のＬＥＤ素子２１，２１…が円周上に面状配設された円盤状のＬＥＤユニット２０，２０…を１区画１９あたり３個面状配設し、複数の区画１９が互いに隣接するように一列状並設された装置本体１０を具備しており、ＬＥＤユニット２０，２０…は中心点が正三角形を形成しており、互いに隣接する区画１９内の３個のＬＥＤユニット２０，２０…がなす正三角形の向きが上下反対となるように交互に向きが異なるように配置されているので、床面等の被照射面を均等な照度で照明することが可能となる。【選択図】  図１
2010205487.tif 000002
【特許請求の範囲】
【請求項１】
複数のＬＥＤ素子が円周上に面状配設された円盤状のＬＥＤユニットと；
前面側に前記ＬＥＤユニットを１区画あたり３個面状配設し、複数の区画が互いに隣接するように一列状並設された装置本体と；
を具備しており、前記ＬＥＤユニットは１区画内の上方および下方のいずれか一方側に当該区画の並設方向に沿って２個、他方側には一方側の２個のＬＥＤユニットに挟まれた中間位置に１個が配置されて合計３個のＬＥＤユニットの中心点が正三角形を形成しており、互いに隣接する区画内の３個のＬＥＤユニットがなす正三角形の向きが上下反対となるように交互に向きが異なるように配置されていることを特徴とする照明装置。
【発明の詳細な説明】
【技術分野】
【０００１】
本発明は、例えば演出効果を得るために舞台やスタジオなどの高所に配設される照明装置に関する。
【背景技術】
【０００２】
従来、この種の照明装置の一例としては、白熱電球や蛍光ランプを収容した複数の灯体を一列状に並設した横長状の照明装置が知られている（例えば、特許文献１参照）。この横長状の照明装置は、舞台やスタジオなどの高所に吊り下げられて、床面等の被照射面を均等な照度で照明するように設計されている。
【０００３】
この特許文献１記載の照明装置の光源を高効率、長寿命のＬＥＤ（発光ダイオード）に代える試みが検討されている。特に、ＬＥＤ素子自体に所定の配光特性が備わっていれば、上記特許文献１記載の照明装置のように反射板を装置本体内に収容する必要がなく、ＬＥＤ素子を装置本体の前面側に面状に配設することで上記特許文献１記載の照明装置と同等の照明効果が得られる。
【先行技術文献】
【特許文献】
【０００４】
【特許文献１】特開平６−２０３９７３号公報  図３
【発明の概要】
【発明が解決しようとする課題】
【０００５】
横長状の照明装置の前面側にＬＥＤ素子を面状に配設するためには、所定寸法のＬＥＤユニットを新たに設計して装置本体に組み込むことになるが、このＬＥＤユニットは照明装置の品種毎に開発する必要がある。この開発に要する手間を省略するためには、共通化されたＬＥＤユニットを品種に応じた数だけ面状に配設していく設計を行うのが効率的である。
【０００６】
しかし、共通化されたＬＥＤユニットを単純に面状配置しただけでは、床面等の被照射面を均等な照度で照明できない場合がある。
【０００７】
本発明は、このような事情を考慮してなされたもので、ＬＥＤユニットを装置本体の前面側に所定の配置関係で面状配設することによって床面等の被照射面を均等な照度で照明することが可能な照明装置を提供することを目的とする。
【課題を解決するための手段】
【０００８】
本発明の照明装置は、複数のＬＥＤ素子が円周上に面状配設された円盤状のＬＥＤユニットと；前面側に前記ＬＥＤユニットを１区画あたり３個面状配設し、複数の区画が互いに隣接するように一列状並設された装置本体と；を具備しており、前記ＬＥＤユニットは１区画内の上方および下方のいずれか一方側に当該区画の並設方向に沿って２個、他方側には一方側の２個のＬＥＤユニットに挟まれた中間位置に１個が配置されて合計３個のＬＥＤユニットの中心点が正三角形を形成しており、互いに隣接する区画内の３個のＬＥＤユニットがなす正三角形の向きが上下反対となるように交互に向きが異なるように配置されていることを特徴とする。
【０００９】
本発明において、ＬＥＤユニットとは、複数のＬＥＤ（発光ダイオード）素子が円周上に配設された実装表面を有する基板等の支持基体を有しており、外観が円盤状を呈するユニットであることを意味する。
【００１０】
装置本体は、前面側にＬＥＤユニットが装着可能な区画を有しており、この区画が一列方向に連続する構成を有していれば、内部構造や外観形状は特に制限されない。装置本体の各区画は装置本体から分離可能であってもよいし、装置本体としては一体的な構成であってＬＥＤユニットの配置関係を定義する上で便宜的に区画されたものであってもよい。
【００１１】
複数のＬＥＤユニットを面状配置する場合に、例えば４個のＬＥＤユニットの中心点が矩形状をなすように面状配置するとＬＥＤユニットに囲まれた中央の隙間面積が大きくなり、この隙間部分は非発光領域であるため被照射面に照度むらが発生する可能性がある。また、４個のＬＥＤユニットの中心点が矩形状をなすように面状配置した場合には、隣接する区画のＬＥＤユニットとの距離が短くなり、互いの温度影響を受けやすくなる。
【００１２】
これに対し、３個のＬＥＤユニットの中心点が正三角形を形成することによって非発光領域である中央の隙間面積を比較的小さくすることが可能となり、互いに隣接する区画内の３個のＬＥＤユニットがなす正三角形の向きを上下反対となるように交互に向きが異なるように配置することによって被照射面に照度むらが発生を抑制することが可能となる。
【発明の効果】
【００１３】
本発明の照明装置によれば、装置本体の互いに隣接する区画内の３個のＬＥＤユニットがなす正三角形の向きが上下反対となるように交互に向きが異なるように配置されているので、床面等の被照射面を均等な照度で照明することが可能となる。
【図面の簡単な説明】
【００１４】
【図１】本発明の第１の実施形態に係る照明装置の下方投光状態の正面図。
【図２】図１により示す第１の実施形態に係る照明装置の正面図。
【図３】図１により示す第１の実施形態に係る照明装置の上面図。
【図４】図１により示す第１の実施形態に係る照明装置の概略断面図。
【発明を実施するための形態】
【００１５】
以下、本発明の実施形態を添付図面に基づいて説明する。これら複数の添付図面中、同一または相当部分には同一符号を付している。
【００１６】
図１は本発明の第１の実施形態に係る照明装置の斜視図、図２は図１により示す照明装置の正面図、図３は同上面図、図４は同概略断面図である。
【００１７】
照明装置１は、舞台やスタジオなどの高所にバトン装置などによって吊り下げられて、床面等の被照射面を均等な照度で照明するボーダーライトと称される照明装置である。
【００１８】
照明装置１は、略矩形箱状の金属製筐体からなる装置本体１０を有しており、この装置本体１０には光照射部分である前面部１１を有している。装置本体１０は、その断面が五角形を有しており、底面１２と背面１３とは直交しているが、前面部１１と底面１２とが交わる部分の角度が４０〜６０°となるように前面部１１の上端が背面１３側に傾斜するように形成されている。前面部１１と底面１２との間には前面部１１と直交する下端面１４が形成されており、この下端面１４には複数の通気孔１５が形成されている。前面部１１と背面１３との間には前面部１１と直交する上面１６が形成されている。装置本体１０の両端には端板１７が設けられている。
【００１９】
装置本体１０の前面部１１には、前面部１１を一列状の複数の区画に区分けする区画板１８が５箇所に設けられている。区画板１８によって、前面部１１には６つの区画１９が略正方形状に形成されている。
【００２０】
装置本体１０の前面部１１に設けられた６つの区画１９には、３個のＬＥＤユニット２０がそれぞれ配設されている。ＬＥＤユニット２０は、ＬＥＤ素子２１が実装された円盤状の基板２２とこの基板２２の表面に設けられた合成樹脂製の白色反射体２３とからなる。基板２２には、６個のＬＥＤ素子２１が基板２２の実装表面上に円周状に実装されている。反射体２３は、６個のＬＥＤ素子２１それぞれの周囲を囲むすり鉢状の反射面が形成されており、基板２２とほぼ同一径を有する円盤状の樹脂成形品である。
【００２１】
ＬＥＤユニット２０は、区画１９の上方および下方のいずれか一方側に区画１９の並設方向（装置本体の長手方向）に沿って２個、他方側には一方側の２個のＬＥＤユニット２０，２０に挟まれた中間位置に１個が配置されている。また、この合計３個のＬＥＤユニット２０の中心点が正三角形を形成するように配置されている。さらに、ＬＥＤユニット２０は、互いに隣接する区画１９，１９内の３個のＬＥＤユニット２０がなす正三角形の向きが上下反対となるように交互に向きが異なるように配置されている。
【００２２】
装置本体１０内には、ヒートシンク３１が収容されている。このヒートシンク３１は、前面部１１の裏面側に３個のＬＥＤユニット２０と熱的に接続された状態で取付けられており、３個のＬＥＤユニット２０の放熱を１個のヒートシンク３１で賄っている。ヒートシンク３１は通気孔１５と背面１３に設けられた放熱孔とによって通気されて効果的に放熱される。また、装置本体１０内にはＬＥＤユニット２０，２０…の点灯用電源３２が配設されている。装置本体１０の前面部１１の前端面には平板状の投光性カバー３３が装着されている。
【００２３】
本実施形態の照明装置１は、複数のＬＥＤユニット２０，２０…を面状配置する場合に、被照射面を均等な照度で照明することを可能としている。例えば４個のＬＥＤユニット２０，２０…の中心点が矩形状をなすように面状配置するとＬＥＤユニット２０，２０…に囲まれた中央の隙間面積が大きくなり、この隙間部分は非発光領域であるため被照射面に照度むらが発生する可能性がある。また、４個のＬＥＤユニット２０，２０…の中心点が矩形状をなすように面状配置した場合には、隣接する区画のＬＥＤユニット２０，２０…との距離が短くなり、互いの温度影響を受けやすくなる。
【００２４】
これに対し、３個のＬＥＤユニット２０，２０…の中心点が正三角形を形成することによって非発光領域である中央の隙間面積を比較的小さくすることが可能となり、互いに隣接する区画内の３個のＬＥＤユニット２０，２０…がなす正三角形の向きを上下反対となるように交互に向きが異なるように配置することによって被照射面に照度むらが発生を抑制することが可能となる。
【００２５】
本実施形態の照明装置によれば、装置本体の互いに隣接する区画内の３個のＬＥＤユニット２０，２０…がなす正三角形の向きが上下反対となるように交互に向きが異なるように配置されているので、床面等の被照射面を均等な照度で照明することが可能となる。
【００２６】
なお、本発明の照明装置は、前述した実施形態に限定されるものでなく、適宜な変形、改良等が可能である。例えば、前述した実施形態において、舞台用照明装置として床面を照明するボーダーライトを例示したが、舞台のホリゾント幕を上方から照明するアッパーホリゾントライトやロアーホリゾントライト等にも適用可能である。
【符号の説明】
【００２７】
１…照明装置、１１…前面部、１９…区画、２０…ＬＥＤユニット、２１…ＬＥＤ素子２１。
【図１】
2010205487.tif 000003
【図２】
2010205487.tif 000004
【図３】
2010205487.tif 000005
【図４】
2010205487.tif 000006